(57)【要約】【課題】本発明は、ペン入力装置を備えた電子機器とペン置きにおいて、機器本体とペン置きの携帯性の向上を課題とする。【解決手段】本発明によるペン置きは、複数の部材より成り、ペン置きとして使用されないときには、前記複数の部材が畳まれることが可能であり、ペン置きとして使用されるときには、前記複数の部材が展開された状態でペンを保持可能である。【選択図】図４
2011216049.tif 000002
【特許請求の範囲】
【請求項１】
複数の部材より成り、
ペン置きとして使用されないときには、前記複数の部材が畳まれることが可能であり、
ペン置きとして使用されるときには、前記複数の部材が展開された状態でペンを保持可能であることを特徴とするペン置き。
【請求項２】
前記複数の部材は、第１の部材と少なくとも１つの第２の部材とを含み、
前記第２の部材は、前記第１の部材と前記第２の部材とが展開されたとき、前記第１の部材に対して起こすことができるように前記第１の部材と接合されていることを特徴とする請求項１に記載のペン置き。
【請求項３】
前記第２の部材が前記第１の部材に対して起こされるように、前記第１の部材と前記第２の部材との間に弾性体が設けられていることを特徴とする請求項２に記載のペン置き。
【請求項４】
前記第２の部材には、ペンを受ける切り欠きが設けられていることを特徴とする請求項２または３に記載のペン置き。
【請求項５】
前記第１の部材にはペンを受ける窪みが設けられ、前記第２の部材にはペンが貫通する穴が設けられていることを特徴とする請求項２または３に記載のペン置き。
【請求項６】
前記第２の部材は、前記第２の部材と前記第１の部材との接合部と前記穴との間に屈曲部を有していることを特徴とする請求項５に記載のペン置き。
【請求項７】
前記複数の部材の各々は柱状の部材であり、
前記複数の部材が畳まれた状態では、前記複数の部材が電子機器の筐体に設けられた凹部に収納され、
前記複数の部材が展開された状態では、前記複数の部材が電子機器の筐体に対して起こされるように構成されていることを特徴とする請求項１に記載のペン置き。
【請求項８】
筐体と、表示部と、ペン入力装置と、請求項１から６のいずれかに記載のペン置きと、を備えた電子機器であって、
前記筐体内部に前記ペン置きの収納部を備え、
前記ペン置きがペン置きとして使用されないときには、前記ペン置きを構成する複数の部材が畳まれた状態で、前記ペン置きが前記収納部に収納されることを特徴とする電子機器。
【請求項９】
前記複数の部材は、第１の部材と少なくとも１つの第２の部材とを含み、
前記第２の部材は、前記第１の部材と前記第２の部材とが展開されたとき、前記第１の部材に対して起こすことができるように前記第１の部材と接合され、
前記収納部は前記筐体の側面に設けられ、
前記ペン置きは、前記収納部から前記筐体の外に向かってスライドするように引き出されることを特徴とする請求項８に記載の電子機器。
【請求項１０】
前記収納部は平面視で前記表示部と重なっていることを特徴とする請求項８または９に記載の電子機器。
【請求項１１】
前記複数の部材の各々は柱状の部材であり、
前記複数の部材が畳まれた状態では、前記複数の部材が前記筐体に設けられた凹部に収納され、
前記複数の部材が展開された状態では、前記複数の部材が前記筐体に対して起こされ、
前記収納部は、前記筐体の端部と前記表示部との間に設けられた凹部であることを特徴とする請求項８に記載の電子機器。
【発明の詳細な説明】
【技術分野】
【０００１】
本発明は、ペン置き、および、ペン置きを備えたペン入力機能付き電子機器に関するものである。
【背景技術】
【０００２】
入力装置を備えた、タブレットＰＣや電子ペーパーなどが市販されている。従来のタブレットＰＣや電子ペーパーなどの入力装置では、入力用ペンのペン置きがなく、紛失することが多く困っていた。これを解決するため、特許文献１ではクリップ型のペン置きを用いている。
【先行技術文献】
【特許文献】
【０００３】
【特許文献１】特開平１０−２０７６１０号公報
【発明の概要】
【発明が解決しようとする課題】
【０００４】
しかしながら、特許文献１のクリップ型ペン置きは、ペン置きとして使用するときも使用しないときも、形状や大きさがほとんど同じである。そのため、器機を持ち運ぶ際、機器本体に取り付けた状態ではペン置きが器機本体の外形から飛び出すため、専用鞄に入れることは難しい。また、ペン置きを取り外しても、器機本体や専用鞄に収納することができないため、器機本体とは別に鞄などに入れて持ち運ぶ必要があり、携帯性が悪いという問題がある。
【課題を解決するための手段】
【０００５】
本発明は、上記課題の少なくともひとつを解決するように、以下の適用例または形態として実現される。
【０００６】
［適用例１］本適用例に記載のペン置きは、複数の部材より成り、ペン置きとして使用されないときには、前記複数の部材が畳まれることが可能であり、ペン置きとして使用されるときには、前記複数の部材が展開された状態でペンを保持可能であることを特徴とする。
本適用例によるペン置きは、ペン置きとして使用するときにはペンを保持することができ、ペン置きを使用しないときには、ペン置きとして使用するときよりもコンパクトに畳むことができるため、ペン置きを収納するために必要なスペースを小さくすることができる。たとえば、本適用例によるペン置きを携帯型の電子機器に設ける場合、ペン置きがコンパクトに畳まれた状態で電子機器の筐体内部に収納することができる。従って、ペン置きが電子機器本体から飛び出さず、電子機器を専用鞄に入れて持ち運ぶことができる。その結果、電子機器の携帯性が向上し、さらにペン置きを紛失しにくくなる、という効果も得られる。
【０００７】
［適用例２］上記適用例に記載のペン置きにおいて、前記複数の部材は、第１の部材と少なくとも１つの第２の部材とを含み、前記第２の部材は、前記第１の部材と前記第２の部材とが展開されたとき、前記第１の部材に対して起こすことができるように前記第１の部材と接合されていることを特徴とする。
【０００８】
これにより、ペン置きとして使用するときにはペンを保持することができ、ペン置きとして使用しないときには、ペン置きとして使用するときよりもコンパクトに畳むことができるため、ペン置きを収納するために必要なスペースを小さくすることができる。
【０００９】
［適用例３］上記適用例に記載のペン置きにおいて、前記第２の部材が前記第１の部材に対して起こされるように、前記第１の部材と前記第２の部材との間に弾性体が設けられていることを特徴とする。
これにより、ペン置きとして使用するときには、複数の部材を簡単に展開して、ペンを保持可能な状態にすることができる。また、展開された状態を安定的に維持することもできる。
【００１０】
［適用例４］上記適用例に記載のペン置きにおいて、前記第２の部材には、ペンを受ける切り欠きが設けられていることを特徴とする。
これにより、ペン置きとして使用するときには、ペンを安定的に維持することができる。
【００１１】
［適用例５］上記適用例に記載のペン置きにおいて、前記第１の部材にはペンを受ける窪みが設けられ、前記第２の部材にはペンが貫通する穴が設けられていることを特徴とする。
これにより、ペン置きとして使用するときには、ペンを立てた状態で容易に置くことが出来るだけでなく、ペンの姿勢が安定するため、ペンを取るときも取りやすい。
【００１２】
［適用例６］上記適用例に記載のペン置きにおいて、前記第２の部材は、前記第２の部材と前記第１の部材との接合部と前記穴との間に屈曲部を有していることを特徴とする。
これにより、第２の部材のうちペンが貫通する穴が設けられた領域と第１の部材との距離を小さくすることができるので、使用状態におけるペン置きが、よりコンパクトになる。
【００１３】
［適用例７］上記適用例に記載のペン置きにおいて、前記複数の部材の各々は柱状の部材であり、前記複数の部材が畳まれた状態では、前記複数の部材が電子機器の筐体に設けられた凹部に収納され、前記複数の部材が展開された状態では、前記複数の部材が電子機器の筐体に対して起こされるように構成されていることを特徴とする。
これによれば、ペン置きの収納部として必要とされる容積が非常に小さくなる。また、ペン置きを構成するために電子機器の正面側の極めて狭いエリアしか必要としないため、ペン置きの背面側には空きスペースができる。電子機器本体の構成部材の配置を容易にする作用があり、電子機器をより小さくしたり、新しい機能を空いたスペースに構成させたりできる。
【００１４】
［適用例８］本適用例に記載の電子機器は、筐体と、表示部と、ペン入力装置と、上記適用例に記載のペン置きと、を備えた電子機器であって、前記筐体内部に前記ペン置きの収納部を備え、前記ペン置きがペン置きとして使用されないときには、前記ペン置きを構成する複数の部材が畳まれた状態で、前記ペン置きが前記収納部に収納されることを特徴とする。
本適用例によれば、ペン置きを畳んで電子機器の筐体内部に収納させることができるため、電子機器を持ち運ぶ際、ペン置きが電子機器本体から飛び出さずに専用鞄に入れて運ぶことができ、携帯性が良くなる効果がある。またペン置きを紛失しにくくなる。さらに、ペン置きの収納部として筐体内部に確保すべき空間を、ペン置きを使用時と同じ状態で収納する場合に比べて薄くすることができるため、電子機器を薄型化することができ、かつ製品デザインの制約が少なくなる。
【００１５】
［適用例９］上記適用例に記載の電子機器において、前記複数の部材は、第１の部材と少なくとも１つの第２の部材とを含み、前記第２の部材は、前記第１の部材と前記第２の部材とが展開されたとき、前記第１の部材に対して起こすことができるように前記第１の部材と接合され、前記収納部は前記筐体の側面に設けられ、前記ペン置きは、前記収納部から前記筐体の外に向かってスライドするように引き出されることを特徴とする。
この構成によれば、ペン置きは電子機器の側面に配置されることになり、電子機器の一部を挟み込むクリップ形式のようにペン置きの挟み込み部分が表示部に被ることはなく、表示の邪魔にならない。
【００１６】
［適用例１０］上記適用例に記載の電子機器において、前記収納部は平面視で前記表示部と重なっていることを特徴とする。
これによれば、電子機器の額縁部の面積を小さくできる。
【００１７】
［適用例１１］上記適用例に記載の電子機器において、前記複数の部材の各々は柱状の部材であり、前記複数の部材が畳まれた状態では、前記複数の部材が前記筐体に設けられた凹部に収納され、前記複数の部材が展開された状態では、前記複数の部材が前記筐体に対して起こされ、前記収納部は、前記筐体の端部と前記表示部との間に設けられた凹部であることを特徴とする。
これによれば、ペン置きの収納部として必要とされる容積が非常に小さくなる。また、ペン置きを構成するために電子機器の正面側の極めて狭いエリアしか必要としないため、ペン置きの背面側には空きスペースができる。電子機器本体の構成部材の配置を容易にする作用があり、電子機器をより小さくしたり、新しい機能を空いたスペースに構成させたりできる。
【図面の簡単な説明】
【００１８】
【図１】実施例１のペン置きの第２の部材が展開され、ペンが置かれた状態を示す斜視図。
【図２】実施例１のペン置きの第２の部材が畳まれた状態を示す図。
【図３】実施例２の電子機器を示す斜視図。
【図４】実施例２の電子機器において、ペンがペン置きに置かれた状態を示す斜視図。
【図５】実施例３の電子機器を示す斜視図。
【図６】実施例３の電子機器において、ペンがペン置きに置かれた状態を示す斜視図。
【図７】実施例４の電子機器において、ペン置きが電子機器本体に収納されている状態を示す斜視図。
【図８】実施例４の電子機器において、ペンがペン置きに置かれた状態を示す斜視図。
【発明を実施するための形態】
【００１９】
以下、図面を用いて本発明にかかる実施例を説明する。
【実施例１】
【００２０】
以下、本発明の実施例１を、添付した図１および図２に基づいて説明する。
図１に示したように、ペン置き１００は底板２３と枠形状の側板２５を有する第１の部材２と、第１の部材２に接合された板状の２つの第２の部材３とから構成される。第２の部材３の側面２１には、例えば突起（不図示）が設けられており、第１の部材２の枠形状の側板２５の内側面２２のうち当該突起が当接する部分には、例えば凹部（不図示）が設けられている。第２の部材３の側面２１に設けられた突起と第１の部材２の側板２５の内側面２２に設けられた凹部とを勘合させることにより、第２の部材３を回転させて第１の部材２の底板２３に対して垂直方向に起こすことができるように、第２の部材３が回転可能に第１の部材２にはめ込まれる。
【００２１】
２つの第２の部材３にそれぞれ円形状の切り欠き４が設けてある。
ペン置きとして使用するときには、図１に示したように２つの第２の部材３を底板２３に対して垂直に起こした状態に展開し、円形状の切欠き４にペン５を置く。また、ペン置きとして使用しないときには、図２に示したように２つの第２の部材３を折り畳んで第１の部材２の枠内に収納する。
【００２２】
しかし、ペン置きとして使用する場合、第２の部材３が不用意に折り畳まれては都合が悪い。そこで展開された状態が保持されるように、たとえば第１の部材２の底板２３と第２の部材３とをバネなどの弾性部材によって互いに接合してもよい。また、第２の部材３の側面２１と第１の部材２の内側面２２との間の摩擦によって展開された状態が保持されるようにしてもよい。
【００２３】
本実施例によれば、ペン置きとして使用しないときにはペン置き１００をコンパクトに折り畳むことができる。
そのため、ペン置き１００を携帯型電子機器などに設け、さらにペン置き１００の収納部を電子機器の筐体内部に設けるように電子機器を設計する場合には、筐体内部に確保すべき収納部の空間が、ペン置き１００を展開状態で収納する場合に比べて小さくすることができる。その結果、電子機器を小型化することができる。
また、ペン置き１００が畳まれた状態で筐体内部に収納された電子機器を、専用鞄に入れて持ち運ぶことができるようになる。このように、電子機器の携帯性が向上し、さらにペン置き１００を紛失しにくくなる、という効果が得られる。
【００２４】
また、円形状の切り欠き４はペン５を保持するのに適切な形状をとることができる。円形状の切り欠き４の内径をペン５の外径と同じ、もしくはわずかに大きくすることで、ペン５とペン置き１００のガタツキを防止する効果がある。また、切り欠き４の入り口部分をペン５の直径よりわずかに狭くすることで、ペン５が簡単に外れることを防ぐ効果がある。
【００２５】
本実施例によるペン置き１００は、矩形の第１の部材２と、当該第１の部材２に回転可能なように接合された板状の２つの第２の部材３とから構成されているが、第２の部材３は１つでもかまわない。接合方法も本実施例で説明した手段に限定されない。また、第２の部材３の形状も図１，２に示した形状に限定されない。さらに、第２の部材３は第１の部材２に接合されているが、第２の部材３は枠を有さない板状部材に蝶番などで接合されていてもよい。要は、ペン置きが使用されないときには、使用時よりも体積が小さくなるようにペン置き１００を構成する複数の部材が畳まれるように構成されていればよい。
【実施例２】
【００２６】
以下、本発明の実施例２を、添付した図３から図４に基づいて説明する。
電子機器としての電子ブックなどの携帯端末１は、図３（ａ）に示したように、ペン入力機能を兼ね備えた表示部６と実施例１で示したペン置き１００とを備えている。なお、携帯端末１に対して表示部６を備えた方向を、携帯端末１の正面方向とする。
携帯端末１は、図３（ｂ）に示したように、携帯端末１の筐体３２の側面には、畳まれた状態のペン置き１００を収納するための収納部３０が設けられている。図３（ｂ）は図３（ａ）のＡ−Ａ’断面図であるが、図３（ａ）はペン置き１００が収納部３０から引き出された状態を示しており、図３（ｂ）はペン置き１００が収納部３０に収納された状態を示している。
【００２７】
ペン置き１００は、使用されないときには携帯端末１の筐体３２の側面内部に設けられた収納部３０に収納され、使用されるときには携帯端末１の筐体３２の側面内部からスライドして引き出される。図３（ｂ）に示したようにペン置き１００が収納部３０に完全に収納されていると、ペン置き１００が収納部３０から引き出しにくい場合がある。その場合は、たとえば、ノート型パーソナルコンピューターなどに搭載されているＰＣカードスロット用のＰＣカード取り出し機構などを搭載すればよい。また、ペン置き１００を引き出したとき、不用意に収納部３０から抜けないように、収納部３０の内部には図示しないストッパーが設けられている。
【００２８】
ペン置き１００をペン置きとして使用するときには、収納部３０からペン置き１００を引き出し、第２の部材３を携帯端末１の正面方向に回転させて展開する。そして円形状の切欠き４にペン５を置いて使用する。また、実施例１で説明したように、第１の部材２の底板２３と第２の部材３とがバネなどの弾性部材によって互いに接合されている場合、ペン置き１００が収納部３０から引き出されると、弾性部材の弾性力によって第２の部材３は自動的に携帯端末１の正面方向に回転して展開される。
ペン置きとして使用しないときには２つの第２の部材３は第１の部材２の枠内に畳まれて収まり、スライドして携帯端末１の筐体３２の側面内部に設けられた収納部３０の中に収まる。
【００２９】
本実施例によれば、折り畳まれた状態のペン置き１００を携帯端末１の筐体３２の側面内部に設けられた収納部３０に収納させることができるため、携帯端末１を持ち運ぶ際、ペン置き１００が携帯端末１本体から飛び出さずに専用鞄に入れて運ぶことができ、携帯性が良くなる効果がある。またペン置き１００を紛失しにくくなる。さらに、ペン置き１００の収納部３０として筐体３２内部に確保すべき収納空間が、ペン置き１００を展開状態で収納する場合に比べて薄くすることができるため、携帯端末１を薄型化することができ、かつ製品デザインの制約が少なくなる。
【００３０】
また、図４に示したように、ペン置き１００は携帯端末１の側面に配置されるため、携帯端末１の一部を挟み込むクリップ形式のようにペン置きの挟み込み部分が表示部６に被ることはなく、表示の邪魔にならない。また、携帯端末１の正面部にペン置き固定のスペースを必要とせず、かつ、図３（ｂ）に示したように、収納部３０は表示部６と平面視で重なるように設けることができるため、携帯端末１の額縁部３１の面積を小さくできる効果がある。
【実施例３】
【００３１】
以下、本発明の実施例３を、添付した図５から図６に基づいて説明する。実施例２と異なるのはペン置きの構成だけであるので、実施例２と共通の部分については説明を省略する。
【００３２】
ペン置き２００は板形状の第１の部材８と第２の部材７から構成される。実施例１と同様に、畳まれた状態のペン置き２００が携帯端末１の側面内側に設けられた収納部３０に収納されており、ペン置き２００が使用されるときには、収納部３０から引き出せる構造をとる。
【００３３】
第１の部材８と第２の部材７とは、例えばバネのような弾性体によって互いに接合されており、正面側の第２の部材７は、弾性体の弾性力によって自動的に正面方向に飛び出し、第１の部材８に対して起こされる。第２の部材７にはペン５が貫通する太さの穴９が設けてあり、第１の部材８にはペン先が納まる小さな窪み１０が設けられている。窪み１０は、第１の部材８の第２の部材７と対向する面であって穴９と平面視で重なる領域に設けられている。
【００３４】
さらに、図６に示したようにペン置き２００の展開時には、正面側の第２の部材７は、第２の部材７と第１の部材８との接合部と穴９との間で屈曲するようになっている。しかし、必ずしも第２の部材７を屈曲させる必要はないが、屈曲するように構成すれば、第２の部材７のうちペンが貫通する穴９が設けられた領域と第１の部材８との距離を小さくすることができるので、展開状態におけるペン置き２００を、よりコンパクトにすることができる。第２の部材７がその中間部分で屈曲するように構成するには、第２の部材７を２枚の板形状の部材によって構成し、蝶番で互いに接続し、さらに必要以上に屈曲しないようにストッパーを設ける、等の手段を例として挙げることができる。
【００３５】
ペン置き２００をペン置きとして使用するときには第１の部材８と第２の部材７とを収納部３０から引き出し、弾性体の弾性力により正面側の第２の部材７を起こして展開し、正面側の第２の部材７の穴９にペン５を挿入し、第１の部材８の窪み１０にペン５のペン先を置いて使用する。使用しないときは、第１の部材８と第２の部材７とを図５に示したように畳んで、携帯端末１の収納部３０にスライドして収める。
【００３６】
本実施例によれば、ペン置き２００を折り畳んで携帯端末１の筐体内部に収納させることができるため、携帯端末１を持ち運ぶ際、ペン置き２００が携帯端末１本体から飛び出さずに専用鞄に入れて運ぶことができ、携帯性が良くなる効果がある。またペン置き２００を紛失しにくくなる。さらに、ペン置き２００の収納部３０として筐体内部に確保すべき収納空間が、ペン置き２００を展開状態で収納する場合に比べて薄くすることができるため、携帯端末１を薄型化することができ、かつ製品デザインの制約が少なくなる。
【００３７】
また、ペン置き２００は携帯端末１の側面に配置されるため、携帯端末１の一部を挟み込む形式のようにペン置きの挟み込み部分が表示部６に被ることはなく、表示の邪魔にならない。また、携帯端末１の正面にペン置き固定のスペースを必要とせず、かつ、図３（ｂ）に示したように、収納部３０は表示部６と平面視で重なるように設けることができるため、携帯端末１の額縁部３１の面積を小さくできる効果がある。
【００３８】
また、クリップ型のように、ペン置きを取り出してきて、携帯端末１に挟むという動作を必要とせず、引き出す作業だけで、ペン置きとして使用できる状態になるので、利便性を向上させる効果がある。
【００３９】
また、第１の部材８に窪み１０を設け、さらに第２の部材７に穴９を設けたことにより、ペン５をいつも決まった姿勢に固定できる作用があり、ペンを持つ動作と置く動作とが容易になる効果がある。
【実施例４】
【００４０】
以下、本発明の実施例４を、添付した図７から図８に基づいて説明する。
ペン置き３００は四角柱形状を有する４つの柱状部材１１から構成される。柱状部材１１は携帯端末１正面の額縁部３１に設けられた４つの凹部１２各々に１個ずつ設けられている。そして、柱状部材１１は回転して正面方向に飛び出す構造をとる。４つの柱状部材１１はペン５の太さの間隔で配置される。ペン置きとして使用するときには、４つの柱状部材１１を正面方向に回転させて携帯端末１に対して起こして、４つの柱状部材１１でペン５を挟んで固定し、使用しないときには、４つの柱状部材１１は携帯端末１の額縁部３１に設けられた凹部１２内に収納される。
【００４１】
本実施例によれば、ペン置き３００を折り畳んで携帯端末１の筐体内部に収納させることができるため、携帯端末１を持ち運ぶ際、ペン置き３００が携帯端末１本体から飛び出さずに専用鞄に入れて運ぶことができ、携帯性が良くなる効果がある。またペン置き３００を紛失することはない。さらに、ペン置き３００の収納部３０として筐体内部に確保すべき容積を従来例と比較して小さくすることができるため、携帯端末１を小型化することができ、かつ製品デザインの制約が少なくなる。
また、ペン置き３００が携帯端末１の額縁部３１に配置されるため、ペン置き３００が表示部６に被ることはなく、表示の邪魔にならない。
【００４２】
また、ペン置き３００を構成するために携帯端末１の正面側の極めて狭いエリアしか必要としないため、ペン置き３００の背面側には空きスペースができる。そのため携帯端末１本体の構成部材の配置を容易にする作用があり、携帯端末１をより小さくしたり、新しい機能を空いたスペースに構成させたりできる効果がある。
【００４３】
また、４つの柱状部材１１はペン５を保持するのに適切な間隔で適切な形状をとることができるため、ペン５の保持力を向上させる効果がある。
【００４４】
また、本実施例では柱状部材１１でペン５を挟むようにしたが、柱状部材１１のかわりに円柱などの柱状部材を用いてもよい。
【符号の説明】
【００４５】
１…電子機器としての携帯端末、２…第１の部材、３…第２の部材、４…切り欠き、５…ペン、６…表示部、７…第２の部材、８…第１の部材、９…穴、１０…窪み、１１…柱状部材、１２…凹部、２１…側面、２２…内側面、２３…底板、３０…収納部、３１…額縁部、３２…筐体、１００，２００，３００…ペン置き。
【図１】
2011216049.tif 000003
【図２】
2011216049.tif 000004
【図３】
2011216049.tif 000005
【図４】
2011216049.tif 000006
【図５】
2011216049.tif 000007
【図６】
2011216049.tif 000008
【図７】
2011216049.tif 000009
【図８】
2011216049.tif 000010